(57)【要約】【課題】ＣＤ−Ｒ等の記録メディアに記録されたユーザのデジタル画像に含まれる顔画像を、顔合成用のテンプレート画像に容易に又は自動で合成することができ、使用する顔画像も自由に変更して合成画像を楽しむことができるようにする。【解決手段】ユーザのデジタル画像をＣＤ−Ｒにデジタル記録してユーザに提供するデジタル画像サービス方法において、前記ユーザのデジタル画像を記録する際に、ユーザのデジタル画像に含まれる顔画像と顔合成用のテンプレート画像との合成を容易に又は自動で行うための仕組み（データ構造）も同時に記録する。これにより、ユーザは前記ＣＤ−Ｒを受け取り、これを自分のパソコンにセットすることで、ＣＤ−Ｒに事前に記録された情報を使用して顔画像をテンプレート画像に容易に合成させることができる。【選択図】      図４
2006094034.tif 000002
【特許請求の範囲】
【請求項１】
ユーザの画像を所定のリムーバブルの記録メディアにデジタル記録してユーザに提供するデジタル画像サービス方法において、
前記ユーザの画像をデジタル処理し、処理後のデジタル画像を前記記録メディアに記録する工程と、
前記ユーザの画像に含まれる人物の顔画像に対応して該顔画像を顔合成用のテンプレート画像に合成するために必要な第１の顔合成用情報を取得する工程と、
前記取得した第１の顔合成情報を前記該記録メディアに記録する工程と、
を含むことを特徴とするデジタル画像サービス方法。
【請求項２】
少なくとも１つの顔合成用のテンプレート画像と、該テンプレート画像の顔合成部に顔画像を合成するために必要な第２の顔合成用情報とを前記記録メディアに記録する工程を更に含むことを特徴とする請求項１に記載のデジタル画像サービス方法。
【請求項３】
前記テンプレート画像上の顔合成部と該顔合成部に合成する前記デジタル画像内の顔画像との関係を示す顔配置情報を前記記録メディアに記録する工程を更に含むことを特徴とする請求項２に記載のデジタル画像サービス方法。
【請求項４】
前記第１の顔合成用情報は、前記デジタル画像内の各顔画像の顔パーツの位置情報と、各顔画像と前記記録メディアに記録されるデジタル画像とを関連付ける第１のリンク情報とを含み、前記第２の顔合成用情報は、前記テンプレート画像内の顔合成部の顔パーツの位置情報と、各顔合成部と前記記録メディアに記録されるテンプレート画像とを関連付ける第２のリンク情報とを含むことを特徴とする請求項２又は３に記載のデジタル画像サービス方法。
【請求項５】
前記記録メディアに記録されたデジタル画像と、テンプレート画像と、第１、第２の顔合成用情報と、顔配置情報とに基づいて前記テンプレート画像の顔合成部に前記デジタル画像内の顔画像を合成して合成画像を生成する顔合成ソフトを前記記録メディアに記録する工程を更に含むことを特徴とする請求項３に記載のデジタル画像サービス方法。
【請求項６】
前記記録メディアに記録されたデジタル画像及び前記顔合成ソフトによって生成された合成画像をパーソナルコンピュータのモニタに表示させるためのビューアソフトを前記記録メディアに記録する工程を更に含むことを特徴とする請求項５に記載のデジタル画像サービス方法。
【請求項７】
請求項１乃至６のいずれかに記載のデジタル画像サービス方法によって作成されたことを特徴とする記録メディア。
【発明の詳細な説明】
【技術分野】
【０００１】
本発明はデジタル画像サービス方法及び記録メディアに係り、特にユーザの画像をＣＤ−Ｒ等の所定のリムーバブルの記録メディアにデジタル記録してユーザに提供するデジタル画像サービス方法及びその方法によって提供される記録メディアに関する。
【背景技術】
【０００２】
従来、フイルムカメラで撮影した写真フイルムや、デジタルカメラで撮影したメモリカード等を写真店や取次店にもっていき、写真プリントとともに、または写真プリントとは別にデジタル画像が記録されたＣＤ−Ｒを注文することができるようになっている。
【０００３】
また、このＣＤ−Ｒには、ＣＤ−Ｒに記録されたデジタル画像を、パーソナルコンピュータ（以下、「パソコン」という）上で一覧表示や全画面表示、スライドショー表示するためのビューアソフトや、ネットサービスを利用してインターネットからプリント注文するための注文ソフトなどが同時に記録されている。
【０００４】
したがって、ユーザは、ＣＤ−Ｒに保存されたデジタル画像をパソコンのモニタに表示させ、あるいは自由自在に加工して楽しむことができる。
【０００５】
一方、従来から顔画像と背景画像とを合成して合成画像を作成する画像合成装置が知られている。
【０００６】
特許文献１に記載の画像合成装置は、顔画像、服装画像、首画像、背景画像等の複数の入力画像に対し、これらの入力画像の合成の基準となる２点の情報（合成情報）を自動又は手動で入力し、前記合成情報の内容にしたがって各入力画像の大きさ、色の変換を行い、変換を行った入力画像を合成することにより、違和感のない肖像画像を合成するようにしている。
【特許文献１】特開平１０−２２２６４９号公報
【発明の開示】
【発明が解決しようとする課題】
【０００７】
従来のデジタル画像をＣＤ−Ｒに記録してユーザ提供するサービスは、デジタル画像をパソコン上で閲覧させたり、ネットワークを通じて再プリントに導くサービスであり、画像の加工が容易であるというデジタル画像ならではの新たな付加価値を提供していなかった。
【０００８】
一方、特許文献１に記載された画像合成装置により、複数のデジタル画像を合成して合成画像を楽しむことができるが、この場合には、高価な画像処理装置、画像処理ツールが必要になり、また、顔の切り出しや位置の調整、大きさの調整等を手作業によって行う場合には、熟練度が要求されるという問題がある。
【０００９】
本発明はこのような事情に鑑みてなされたもので、ＣＤ−Ｒ等の記録メディアに記録されたユーザのデジタル画像に含まれる顔画像を、顔合成用のテンプレート画像に容易に又は自動で合成することができ、使用する顔画像も自由に変更して合成画像を楽しむことができるデジタル画像サービス方法及び記録メディアを提供することを目的とする。
【課題を解決するための手段】
【００１０】
前記目的を達成するために請求項１に係る発明は、ユーザの画像を所定のリムーバブルの記録メディアにデジタル記録してユーザに提供するデジタル画像サービス方法において、前記ユーザの画像をデジタル処理し、処理後のデジタル画像を前記記録メディアに記録する工程と、前記ユーザの画像に含まれる人物の顔画像に対応して該顔画像を顔合成用のテンプレート画像に合成するために必要な第１の顔合成用情報を取得する工程と、前記取得した第１の顔合成情報を前記該記録メディアに記録する工程と、を含むことを特徴としている。
【００１１】
前記ユーザの画像は、写真フイルムの画像をスキャンで読み取ってデジタル化し、又はデジタルカメラのメモリカードなどから取得する。このようにして取得したデジタル画像は、デジタル処理が行われた後、ＣＤ−Ｒ等の記録メディアに記録される。尚、デジタル処理としては、色補正、諧調補正、赤目処理等がある。一方、前記記録メディアに記録されるデジタル画像に人物が含まれている場合には、その人物の顔画像に対応して当該顔画像を顔合成用のテンプレート画像に合成するために必要な第１の顔合成用情報を取得する。このようにして取得した第１の顔合成用情報を前記記録メディアに記録する。
【００１２】
これにより、ユーザは前記記録メディアを受け取り、これを自分のパソコンにセットすることで、デジタル画像を閲覧することができるとともに、前記第１の顔合成用情報を利用してテンプレート画像に顔画像を容易に合成することができる。
【００１３】
請求項２に示すように請求項１に記載のデジタル画像サービス方法において、少なくとも１つの顔合成用のテンプレート画像と、該テンプレート画像の顔合成部に顔画像を合成するために必要な第２の顔合成用情報とを前記記録メディアに記録する工程を更に含むことを特徴としている。
【００１４】
尚、前記顔合成用のテンプレート画像と、これに対応する第２の顔合成用情報とは、別途ネットワーク等を通じて取得できるようにしてもよいが、前記記録メディアに記録しておくことにより、テンプレート画像及び第２の顔合成用情報の取得の手間を省くことができる。
【００１５】
請求項３に示すように請求項２に記載のデジタル画像サービス方法において、前記テンプレート画像上の顔合成部と該顔合成部に合成する前記デジタル画像内の顔画像との関係を示す顔配置情報を前記記録メディアに記録する工程を更に含むことを特徴としている。
【００１６】
前記記録メディアに前記顔配置情報を記録しておくことにより、デジタル画像内のどの顔画像をテンプレート画像内のどの顔合成部に合成するかをユーザが指定しなくてもよい。尚、顔画像と顔合成部との対応関係を示す顔配置情報を変更することで、使用する顔画像を自由に変更して合成画像を作成することができる。
【００１７】
請求項４に示すように請求項２又は３に記載のデジタル画像サービス方法において、前記第１の顔合成用情報は、前記デジタル画像内の各顔画像の顔パーツの位置情報と、各顔画像と前記記録メディアに記録されるデジタル画像とを関連付ける第１のリンク情報とを含み、前記第２の顔合成用情報は、前記テンプレート画像内の顔合成部の顔パーツの位置情報と、各顔合成部と前記記録メディアに記録されるテンプレート画像とを関連付ける第２のリンク情報とを含むことを特徴としている。
【００１８】
前記顔パーツの位置情報としては、両目位置情報、口の位置情報、顎の位置情報等が挙げられるが、両目位置情報が好ましい。例えば、両目位置情報から顔のサイズ、位置、及び顔の傾きを求めることができ、顔画像を顔合成部に合わせるための情報として使用することができる。
【００１９】
請求項５に示すように請求項３に記載のデジタル画像サービス方法において、前記記録メディアに記録されたデジタル画像と、テンプレート画像と、第１、第２の顔合成用情報と、顔配置情報とに基づいて前記テンプレート画像の顔合成部に前記デジタル画像内の顔画像を合成して合成画像を生成する顔合成ソフトを前記記録メディアに記録する工程を更に含むことを特徴としている。
【００２０】
即ち、テンプレート画像に顔画像を合成するための全ての情報（素材）が前記記録メディアに記録されているため、前記顔合成ソフトを起動させることにより、自動的に合成画像を作成することができ、あたかも合成画像が記録メディアに記録されているように処理することが可能である。尚、事前に合成画像を記録メディアに記録する場合には、テンプレート画像に対する顔画像が固定されるが、本発明では、顔画像の変更の他、テンプレート画像の変更、顔位置・サイズ・角度の微調整も可能となる。
【００２１】
請求項６に示すように請求項５に記載のデジタル画像サービス方法において、前記記録メディアに記録されたデジタル画像及び前記顔合成ソフトによって生成された合成画像をパーソナルコンピュータのモニタに表示させるためのビューアソフトを前記記録メディアに記録する工程を更に含むことを特徴としている。
【００２２】
これにより、前記記録メディアに記録されたデジタル画像を表示するためのソフトがパソコンに事前にインストールされていない場合でもデジタル画像を表示させることができるとともに、合成画像も表示させることができる。
【００２３】
請求項７に係る記録メディアは、請求項１乃至６のいずれかに記載のデジタル画像サー  ビス方法によって作成されたことを特徴としている。即ち、この記録メディアには、ユーザのデジタル画像とともに、そのデジタル画像内に含まれる顔画像を顔合成用のテンプレート画像に合成するために必要なる各種の情報が記録されている。
【発明の効果】
【００２４】
本発明によれば、ユーザのデジタル画像を該ユーザに提供するＣＤ−Ｒ等のリムーバブルの記録メディアにデジタル記録する際に、ユーザのデジタル画像に含まれる顔画像と顔合成用のテンプレート画像との合成を容易に又は自動で行うための仕組み（データ構造）も同時に記録するようにしたため、ユーザは、上記記録メディアを自分のパソコンにセットすることで、デジタル画像を閲覧することができるとともに、テンプレート画像に顔画像が合成された合成画像を自動的に作成し、又はユーザ自身で使用する顔画像を自由に変更して合成画像の作成を楽しむことができる。
【発明を実施するための最良の形態】
【００２５】
以下添付図面に従って本発明に係るデジタル画像サービス方法及び記録メディアの好ましい実施の形態について詳説する。
【００２６】
図１は本発明に係るデジタル画像サービス方法を提供する現像所（ラボ）やカメラ店のデジタルラボ装置のハードウエア構成を示す概略図である。
【００２７】
デジタルラボ装置１は、主として現像処理部１０、フイルムスキャナ１２、カードリーダ１３、画像処理部１４、デジタルプリンタ１６、及びＣＤ−Ｒ／ＲＷ装置１８から構成されている。
【００２８】
ここで、ユーザから未現像の写真フイルム２０が取次店、カメラ店等に持ち込まれ、同時プリントと、ＣＤ−Ｒへのデジタル画像の書き込みサービスの注文を受け付けた場合について説明する。
【００２９】
この場合、未現像の写真フイルム２０は、現像処理部１０によりネガ現像され、続いてフイルムスキャナ１２によりネガスキャンが行われ、フイルムの各コマの画像がデジタル化される。このようにしてデジタル化されたユーザのデジタル画像は、画像処理部１４に加えられる。
【００３０】
一方、ユーザからデジタルカメラの記録メディアであるメモリカード２２が取次店、カメラ店等に持ち込まれ、同時プリントと、ＣＤ−Ｒへのデジタル画像の書き込みサービスの注文を受け付けた場合には、メモリカード２２に記録されたデジタル画像は、カードリーダ１３によって読み取られ、画像処理部１４に加えられる。
【００３１】
画像処理部１４は、プリント注文やＣＤ−Ｒへのデジタル画像の書き込みを受け付けたユーザのオリジナルの画像に対して適正なプリントやデジタル画像の書き込みを行うための画像処理（例えば、色補正、階調補正、赤目処理、美肌処理等）を施す。
【００３２】
上記画像処理では、処理対象のデジタル画像を解析して人物の顔画像が存在するか否かを検出し、顔画像が存在する場合には、その顔画像が存在する領域（顔領域）における肌色が予め定められた目標色度値となるように色補正処理を行い、また、顔領域の濃度に基づいて階調補正を行う。また、赤目が検出された場合には、赤目補正を行う。
【００３３】
尚、デジタル画像内に人物の顔画像が存在するかどうかの検出は、顔の形状、目及び口の輪郭線からなる基準の顔テンプレートとの一致度を求めたり、顔の形状に近い肌色の領域内に目、口などの顔パーツが存在するか等によって行われる。
【００３４】
画像処理部１４によって処理されたデジタル画像は、デジタルプリンタ１６に出力される。デジタルプリンタは、画像処理済みの画像データに基づいて銀塩方式のカラーペーパーにＲ，Ｇ，Ｂレーザーで走査露光して画像をプリントする。このようにして、写真プリント２４が作成される。
【００３５】
一方、画像処理部１４によって処理されたデジタル画像は、ＣＤ−Ｒ／ＲＷ装置１８に出力される。ＣＤ−Ｒ／ＲＷ装置１８は、画像処理済みの画像データをＣＤ−Ｒ２６に記録する。また、ＣＤ−Ｒ／ＲＷ装置１８には、画像処理部１４から顔合成用情報Ａが加えられ、ＣＤ−Ｒ／ＲＷ装置１８は、上記画像データとともに顔合成用情報Ａを記録する。
【００３６】
尚、顔合成用情報Ａは、ＣＤ−Ｒ２６に記録されるデジタル画像内の各顔画像の顔パーツの位置情報（この実施の形態では、両目位置情報）と、各顔画像とＣＤ−Ｒ２６に記録されるデジタル画像へのリンク情報とを有している。また、両目位置情報は、画像処理部１４での処理過程で検出された顔画像の両目位置を利用することができる。
【００３７】
また、図２に示すように、ＣＤ−Ｒ２６の各記録領域２６Ａ〜２６Ｇには、前記画像データ、及び顔合成用情報Ａの他に、ビューアソフト、少なくとも１枚のテンプレート画像データ、顔合成用情報Ｂ、顔配置情報、及び顔合成ソフトが予め記録され、又は予め準備された上記各情報がＣＤ−Ｒ／ＲＷ装置１８にて記録される。
【００３８】
次に、ＣＤ−Ｒ２６に記録される上記各情報の詳細について説明する。
【００３９】
図３はテンプレート画像の一例を示す図である。このテンプレート画像は、観光地や遊園地などに設置されている顔ハメ記念撮影パネルのような、顔領域だけ画像の無い背景画像であり、図３に示すテンプレート画像は、No.1〜No.7の７つの顔合成部（かきわり部）を有している。
【００４０】
図４（Ａ）及び（Ｂ）はそれぞれ顔合成用情報Ａ及びＢを示す図である。同図（Ａ）に示すように、顔合成用情報Ａは、前述したようにＣＤ−Ｒ２６に記録されたデジタル画像に対応するもので、デジタル画像内の各顔画像ごとに付された顔識別情報（顔ＩＤ）によって管理され、顔画像ごとにその顔画像が写っているデジタル画像へのリンク情報（例えば、画像ファイル名）、両目位置情報等から構成されている。
【００４１】
一方、顔合成用情報Ｂは、テンプレート画像に対応するもので、テンプレート画像へのリンク情報（例えば、テンプレート画像のファイル名）、各かきわりNo.1〜No. Ｎでの両目位置情報等から構成されている。かきわり部の両目位置情報は、かきわり部（顔合成部）の大きさ、位置、傾き等を示す情報として使用される。
【００４２】
図５は顔配置情報の内容を示す図である。同図に示すように、顔配置情報は、かきわりNo. １〜No. Ｎと、各かきわり部に合成すべき顔画像（顔ＩＤ）との関係を規定している。尚、かきわりNo.1〜No. Ｎと、顔ＩＤとの関係は、後述するように変更可能であるが、ＣＤ−Ｒ２６には、デフォルトの顔配置情報が記録されている。
【００４３】
ビューアソフトは、ＣＤ−Ｒ２６に記録されたデジタル画像をユーザのパソコンで閲覧するためのソフトであり、顔合成ソフトは、ＣＤ−Ｒ２６に記録されたデジタル画像と、テンプレート画像と、顔合成用情報Ａ、Ｂと、顔配置情報とに基づいてテンプレート画像のかきわり部にデジタル画像内の顔画像を合成し、合成画像を生成するソフトである。尚、顔合成ソフトは、ビューアソフトに組み込んでもよいし、ビューアソフトと連携させるようにしてもよい。また、顔合成ソフトの詳細については後述する。
【００４４】
次に、上記ＣＤ−Ｒ２６を受け取ったユーザが、自分のパソコンにＣＤ−Ｒ２６をセットし、ＣＤ−Ｒに保存されたデジタル画像や合成画像をパソコンのモニタに表示させ、あるいは合成画像を自由に加工して楽しむ場合について説明する。
【００４５】
図６は一般的なパソコンのハードウェア構成例を示すブロック図である。
【００４６】
同図に示すようにパソコン３０は、主として各構成要素の動作を制御する中央処理装置（ＣＰＵ）３２と、装置の制御プログラムが格納されたり、プログラム実行時の作業領域となる主メモリ３４と、パソコンのオペレーティングシステム（ＯＳ）、各種のアプリケーションソフト、ユーザの画像等が格納されるハードディスク装置３６、ＣＤ−Ｒからの読み込みやＣＤ−Ｒへの読み書きが可能なＣＤ−Ｒ／ＲＷ装置３８と、表示用データを一時記憶する表示メモリ４０と、この表示メモリ４０からの画像データ、文字データ等により画像や文字等を表示するＣＲＴモニタや液晶モニタ等のモニタ装置４２と、キーボード４４と、位置入力装置としてのマウス４６と、マウス４６の状態を検出してモニタ装置４２上のマウスポインタの位置やマウス４６の状態等の信号をＣＰＵ３２に出力するマウスコントローラ４８と、通信インターフェース５０と、上記各構成要素を接続するバス５２とから構成されている。
【００４７】
尚、上記構成のパソコンは、周知のものであるため、各構成要素の詳細な説明については省略する。
【００４８】
次に、本発明に係るＣＤ−Ｒ２６をＣＤ−Ｒ／ＲＷ装置３８にセットした場合について説明する。
【００４９】
ＣＤ−Ｒ２６がＤ−Ｒ／ＲＷ装置３８にセットされると、例えば、オートラン機能によりビューアソフトが自動的に起動し、このビューアソフトの機能によりＣＤ−Ｒ２６に記録されたユーザのデジタル画像の縮小画像（サムネイル画像）がモニタ装置４２に一覧表示される。また、所望のサムネイル画像をダブルクリックすると、全画面表示が行われる。
【００５０】
また、ＣＤ−Ｒ２６に格納されたテンプレート画像に対応するサムネイル画像も表示される。テンプレート画像に対応するサムネイル画像をダブルクリックすると、顔合成ソフトが起動し、テンプレート画像のかきわり部に顔画像を合成する処理が行われる。尚、顔合成ソフトは、ビューアソフトの起動に連動して起動し、事前に合成画像を作成するものでもよい。
【００５１】
次に、顔合成ソフトの機能について説明する。
【００５２】
図７は顔合成ソフトの処理内容を説明するためのフローチャートである。尚、ここでは、説明の簡単のためにＣＤ−Ｒ２６に格納されているテンプレート画像は１つとする。
【００５３】
図７において、顔合成ソフトが起動すると、かきわりNo. ＝ｉを１（ｉ＝１）にセットする（ステップＳ１０）。続いて、かきわりNo. ＝ｉに対応するかきわり部の両目位置情報を、顔合成用情報Ｂ（図４（Ｂ）参照）から取得する（ステップＳ１２）。
【００５４】
次に、かきわりNo. ＝ｉに対応する顔ＩＤを、顔配置情報（図５参照）から取得する（ステップＳ１４）。この取得した顔ＩＤから、図４（Ａ）に示した顔合成用情報Ａを元に、その顔ＩＤに対応する顔画像が記録されているデジタル画像へのリンク情報、及びその顔画像の両目位置情報を取得する（ステップＳ１６）。
【００５５】
上記取得したリンク情報からデジタル画像が特定され、また、両目位置情報からその特定されたデジタル画像内の顔画像が特定される。このようにして特定される顔画像を、No. ＝ｉに対応するテンプレート画像のかきわり部に合成する（ステップＳ１８）。
【００５６】
この合成は、テンプレート画像のかきわり部に、顔画像を裏側から貼り付けて合成する合成方式であり、この合成時には、ステップＳ１２で取得したかきわり部の両目位置情報と、ステップＳ１６で取得した顔画像の両目位置情報とが一致するように、顔画像のサイズ、位置、及び顔画像の傾きを自動調整して合成する。
【００５７】
次に、No. ＝ｉがＮ（Ｎ＝テンプレート画像の最後のかきわりNo.)か否かを判別する（ステップＳ２０）。そして、ｉ＝Ｎでない場合には、かきわりNo. ＝ｉを１だけインクリメントし（ステップＳ２２）、ステップ１２Ｓに戻る。
【００５８】
一方、ｉ＝Ｎの場合には、テンプレート画像の全てのかきわり部での顔画像の合成が終了するため、合成画像を出力し（ステップＳ２４）、合成処理を終了する。
【００５９】
したがって、ＣＤ−Ｒ２６には、合成画像そのものは記録されていないが、バーチャルな合成画像が定義されているため、上記顔合成ソフトによって自動的に合成画像を作成し、これを表示させることできる。
【００６０】
次に、上記のようにして作成された合成画像内の顔画像を変更する場合について説明する。
【００６１】
図８は合成画像内の顔画像を変更する場合の、顔合成ソフトの処理内容を説明するためのフローチャートである。
【００６２】
図８に示すように、合成画像上で変更する顔画像を選択する（ステップＳ５０）。例えば、図３に示したテンプレート画像のかきわりNo.4のかきわり部に、所望の顔画像を合成する場合には、かきわりNo.4のかきわり部にマウスカーソルを合わせてクリック、又はダブルクリックして変更する顔画像を選択する。このときのマウスカーソルの位置により、変更するかきわり部のかきわりNo. が決定される（ステップＳ５２）。
【００６３】
次に、上記のようにして決定されたかきわりNo. のかきわり部に合成する顔画像を選択する（ステップＳ５４）。この場合が、ＣＤ−Ｒ２６に格納されている任意のデジタル画像を選択し、更にそのデジタル画像上で顔画像を選択する。これにより、画像へのリンク情報が決定する。また、このリンク情報を有し、かつ選択した顔画像の位置に最も近い両目位置情報を有する顔画像を検索することにより、その顔画像に対応する顔ＩＤが決定する（ステップＳ５６、図４（Ａ）参照）。
【００６４】
以上のようにして新たな顔画像を合成するかきわり部のかきわりNo. と、ここに合成する顔画像の顔ＩＤとが決定されるため、図７のフローチャートのステップＳ１８の処理と同様にして顔ＩＤに対応する顔画像を、ステップＳ５２で決定したかきわりNo. のかきわり部に合成することができる（ステップ５８Ｓ）。
【００６５】
テンプレート画像に合成された他の顔画像を変更する場合には、顔画像の変更を終了するまで前記ステップＳ５０〜ステップＳ５８の処理を繰り返す（ステップＳ６０）。
【００６６】
尚、上記のようにしてテンプレート画像のかきわり部に合成する顔画像を変更することは、図５に示した顔配置情報における、かきわりNo. と顔ＩＤとの対応関係を変更したことになる。したがって、ＣＤ−Ｒ２６の代わりに、書き換え可能な記録メディアであれば、デフォルトの顔配置情報を、ユーザが自由に変更した顔配置情報に書き換えることができる。
【００６７】
この実施の形態では、少なくとも１枚のテンプレート画像と、そのテンプレート画像に対応する顔合成用情報ＢをＣＤ−Ｒ２６に記録するようにしたが、これに限らず、顔合成用のテンプレート画像及び顔合成用情報Ｂを、図６に示すようにサービスサーバ５４からネットワーク５６を通じてダウンロードするようにしてもよい。この場合、サービスサーバ５４の運営者は、ダウンロード代を課金することもできる。また、ネットワーク５６からダウンロードした顔合成用のテンプレート画像に、ＣＤ−Ｒ２６に記録されているユーザのデジタル画像内の顔画像を合成する場合には、デフォルトの顔配置情報がないため、前述した顔画像の変更と同様にして各かきわり部のかきわりNo. と、合成する顔画像の顔ＩＤとを手動操作で関連付けて合成する必要がある。
【００６８】
また、顔合成ソフトもサービスサーバ５４からネットワーク５６を通じてダウンロードすることができる。従って、ＣＤ−Ｒ２６には、最低限、ユーザのデジタル画像と、そのデジタル画像に対応する顔合成用情報Ａとが記録されていれば、ネットワーク等を通じて取得した顔合成用のテンプレート画像に顔画像を簡単な操作で、かつ精度よく合成させることができる。
【００６９】
更に、顔合成ソフトには、ユーザ指示により、合成する顔画像のサイズ、位置、及び傾きを微調整する機能を付加することが好ましい。
【００７０】
また、この実施の形態では、ユーザのデジタル画像等をＣＤ−Ｒに記録するようにしたが、これに限らず、他のリムーバブルの記録メディアに記録するようにしてもよい。
【図面の簡単な説明】
【００７１】
【図１】図１は本発明に係るデジタル画像サービス方法を提供する現像所( ラボ）やカメラ店のデジタルラボ装置のハードウエア構成を示す概略図である。
【図２】図２はＣＤ−Ｒに記録される各情報の記録領域の一例を示す図である。
【図３】図３は顔合成用のテンプレート画像の一例を示す図である。
【図４】図４（Ａ）及び（Ｂ）はそれぞれ顔合成用情報Ａ及びＢの内容を示す図である。
【図５】図５は顔配置情報の内容を示す図である。
【図６】図６はパソコンのハードウェア構成例を示すブロック図である。
【図７】図７は顔合成ソフトの処理内容を説明するためのフローチャートである。
【図８】図８は合成画像内の顔画像を変更する場合の、顔合成ソフトの処理内容を説明するためのフローチャートである。
【符号の説明】
【００７２】
１…デジタルラボ装置、１０…現像処理部、１２…フイルムスキャナ、１３…カードリーダ、１４…画像処理部、１６…デジタルプリンタ、１８…ＣＤ−Ｒ／ＲＷ装置、２０…写真フイルム、２２…メモリカード、２４…写真プリント、２６…ＣＤ−Ｒ、２６Ａ〜２６Ｇ…記録領域、３０…パソコン
【図１】
2006094034.tif 000003
【図２】
2006094034.tif 000004
【図３】
2006094034.tif 000005
【図４】
2006094034.tif 000006
【図５】
2006094034.tif 000007
【図６】
2006094034.tif 000008
【図７】
2006094034.tif 000009
【図８】
2006094034.tif 000010